(57)【要約】【課題】  取水口温度計保護筒の内部に付着した海洋生物等の異物を容易かつ確実に除去清掃する。【解決手段】  温度計保護筒３０の内径よりも小さな外径を有するとともに、温度計４０およびフロート４１の外径よりも大きな内径を有する筒状の清掃具本体１０と、清掃具本体１０を上下動させる駆動装置２０とを備える。清掃具本体１０の筒内面は、下側開放端部から上方へ向かって縮径するテーパー面１１を有していることが好ましい。駆動装置２０は、自動制御回路５０からの駆動指令信号に基づいて駆動制御されることが好ましい。【選択図】  図１
2007255093.tif 000002
【特許請求の範囲】
【請求項１】
取水口に取り付けた温度計保護筒内を清掃するための清掃装置であって、
前記温度計保護筒の内径よりも小さな外径を有するとともに、温度計およびフロートの外径よりも大きな内径を有する筒状の清掃具本体と、
前記清掃具本体を上下動させる駆動装置と、を備えたことを特徴とする取水口温度計保護筒清掃装置。
【請求項２】
前記清掃具本体の筒内面は、下側開放端部から上方へ向かって縮径するテーパー面を有することを特徴とする請求項１に記載の取水口温度計保護筒清掃装置。
【請求項３】
前記駆動装置は、清掃具本体を吊り下げる吊り下げ具と、
前記吊り下げ具に連結されたワイヤーと、
前記ワイヤーを巻き取る巻取り機と、
前記巻取り機を駆動する電動機と、を備えたことを特徴とする請求項１または２に記載の取水口温度計保護筒清掃装置。
【請求項４】
前記駆動装置は、自動制御回路からの駆動指令信号に基づいて駆動制御されることを特徴とする請求項１〜３のいずれか１項に記載の取水口温度計保護筒清掃装置。
【請求項５】
前記自動制御回路は、取水口温度計保護筒清掃装置が設置された環境要因に関する情報に基づいて前記駆動装置の駆動制御を行うことを特徴とする請求項４に記載の取水口温度計保護筒清掃装置。
【発明の詳細な説明】
【技術分野】
【０００１】
本発明は、取水口温度計保護筒清掃装置に関し、例えば発電所等で冷却水として用いる海水の取水口に取り付けた温度計保護筒内に付着した海洋生物を取り除くための清掃装置に関する。
【背景技術】
【０００２】
ボイラ設備を有する発電所等では、復水器における冷却水として海水を用いており、発電所設備に附属して海水を取水するための取水口が設けられている。海水を冷却水として使用する場合には、環境負荷を低減するため、取水温度と排水温度との差が規定値の範囲内となるように管理する必要があり、取水口には温度計が設置されている。この温度計は、海水中に浸漬した保護筒内に設置されている。また、潮汐の影響により海水面の高さは常に変化するため、温度計の配設位置を海面から常に一定に保つ必要があり、温度計にはフロートが取り付けられている。
【０００３】
ところで、海水中には様々な海洋生物の幼生が浮遊しているため、海中に浸漬された保護筒内に海藻類、カキ類、フジツボ類、イガイ類等の海洋生物が付着する。そして、保護筒内に海洋生物が付着すると、付着した海洋生物にフロートが引っかかり、潮汐の影響により海水面の高さが変化してもフロートおよび温度計が常に同じ位置に固定されてしまうおそれがある。このような状態となると、正確な海水温を計測することができずに、取水温度と排水温度との差を監視できなくなってしまう。
【０００４】
また、取水口温度計保護筒だけではなく、水中に浸漬された筒状部材の内部には様々な異物が付着するおそれがあり、異物の付着により正確な計測結果を得られなくなるおそれがある。
そこで、従来、海水中に浸漬された筒状部材の内部を清掃するための技術が種々提案されている。例えば、「測深管清掃具」（実開平７−１３４８１号公報：特許文献１）に、船舶の荷油槽に設けられた測深管内に凝固付着した異物を除去するための技術が開示されている。
【０００５】
上記特許文献１に記載されている「測深管清掃具」は、測深管の内径よりもやや小さい外径を有し、一端の円周壁が内面に向かってテーパー状をなす鋼製短管と、該鋼製短管の内部に溶着された略円錐状の鋼製内蓋と、鋼製短管の上端に溶着された鋼製上蓋と、一端に把持部を有する鋼製長竿とを備えた構成となっている。
【０００６】
【特許文献１】実開平７−１３４８１号公報
【発明の開示】
【発明が解決しようとする課題】
【０００７】
上記特許文献１に記載されている「測深管清掃具」は、筒状部材の上部開口面から筒状部材の内部に鋼製短管を押し込んで、筒状部材の内壁面に付着した異物を除去する構造となっている。このため、この「測深管清掃具」を用いて、発電所等に設置されている取水口温度計保護筒の内部を清掃する際には、フロートおよび温度計を取水口温度計保護筒内から抜き出した後に、取水口温度計保護筒の内壁面に付着した海洋生物を?き落とし、清掃後に再び取水口温度計保護筒内にフロートおよび温度計を挿入しなければならず、清掃作業が面倒であるという問題があった。
また、上記特許文献１に記載されている「測深管清掃具」の操作は人手に頼っているため、清掃の度に作業者を派遣しなければならないという問題があった。
【０００８】
本発明は、上述した事情に鑑み提案されたもので、取水口温度計保護筒の内部に付着した異物を容易かつ確実に除去清掃することができる取水口温度計保護筒清掃装置を提供することを目的とする。
【課題を解決するための手段】
【０００９】
本発明に係る取水口温度計保護筒清掃装置は、上述した目的を達成するため、以下の特徴点を有している。
すなわち、本発明に係る取水口温度計保護筒清掃装置は、取水口に取り付けた温度計保護筒内を清掃するための清掃装置であって、前記温度計保護筒の内径よりも小さな外径を有するとともに、温度計およびフロートの外径よりも大きな内径を有する筒状の清掃具本体と、前記清掃具本体を上下動させる駆動装置と、を備えたことを特徴とするものである。なお、フロートとは、潮汐の変化に伴って温度計を海水面から一定の高さに保持するための機器である。
【００１０】
ここで、前記清掃具本体の筒内面は、下側開放端部から上方へ向かって縮径するテーパー面を有していることが好ましい。
【００１１】
また、前記駆動装置は、清掃具本体を吊り下げる吊り下げ具と、前記吊り下げ具に連結されたワイヤーと、前記ワイヤーを巻き取る巻取り機と、前記巻取り機を駆動する電動機と、を備えた構成とすることが可能である。
【００１２】
また、前記駆動装置は、自動制御回路からの駆動指令信号に基づいて駆動制御されることが好ましい。さらに、前記自動制御回路は、取水口温度計保護筒清掃装置が設置された環境要因に関する情報に基づいて前記駆動装置の駆動制御を行うことが好ましい。なお、取水口温度計保護筒清掃装置が設置された環境要因に関する情報とは、例えば季節の変化、海水温、気温、干満の差、海洋生物の発生状況等に関する情報のことである。
【発明の効果】
【００１３】
本発明に係る取水口温度計保護筒清掃装置では、温度計保護筒の内径よりも小さな外径を有するとともに、温度計およびフロートの外径よりも大きな内径を有する筒状の清掃具本体が、駆動装置の駆動により取水口温度計保護筒内を上下動するので、温度計およびフロートを取り付けたまま清掃作業を行うことができる。このため、取水口温度計保護筒の内面に付着した海洋生物等の異物の除去作業を容易に行うことができる。
【００１４】
また、清掃具本体の筒内面に、下側開放端部から上方へ向かって縮径するテーパー面を設ける構成とした場合には、テーパー面の下側先端部である筒内面の下側開放端部が、下側に向かって尖った形状となるため、取水口温度計保護筒の内面に付着した海洋生物等の異物を容易に?き取ることができる。
【００１５】
また、清掃具本体を吊り下げる吊り下げ具と、吊り下げ具に連結されたワイヤーと、ワイヤーを巻き取る巻取り機と、巻取り機を駆動する電動機とにより駆動装置を構成した場合には、人力に頼ることなく清掃作業を行うことができるので、清掃作業の省力化を図ることができる。
【００１６】
また、駆動装置を、自動制御回路からの駆動指令信号に基づいて駆動する構成とすることにより、清掃作業を自動化することができ、さらに一層、清掃作業の省力化を図ることができる。
【００１７】
また、自動制御回路を、取水口温度計保護筒清掃装置が設置された環境要因に関する情報に基づいて駆動装置の駆動制御を行う構成とすることにより、環境要因の変化に臨機応変に対応することができ、さらに一層、清掃作業の省力化を図ることができる。
【発明を実施するための最良の形態】
【００１８】
以下、図面を参照して、本発明に係る取水口温度計保護筒清掃装置の実施形態を説明する。
図１〜図３は本発明の実施形態に係る取水口温度計保護筒清掃装置に関するもので、図１は取水口温度計保護筒清掃装置の概略構成を示す模式図、図２および図３は取水口温度計保護筒清掃装置を用いた清掃作業の様子を示す模式図である。
【００１９】
＜取水口温度計保護筒清掃装置＞
本発明の実施形態に係る取水口温度計保護筒清掃装置は、例えば、発電所に設置されたボイラ設備の復水器において使用される海水取水口に取り付けた温度計保護筒を清掃するための装置である。
＜清掃具本体＞
【００２０】
この取水口温度計保護筒清掃装置は、図１に示すように、筒状の清掃具本体１０と、清掃具本体１０を上下動させるための駆動装置２０とを主な構成要素としている。
清掃具本体１０は、図２および図３に示すように、温度計保護筒３０の内径よりも小さな外径を有するとともに、温度計４０およびフロート４１の外径よりも大きな内径を有しており、温度計保護筒３０内を上下動することができるようになっている。なお、温度計保護筒３０内には海水が浸入しているため、清掃具本体１０は自らの浮力に抗して海水中に没する必要がある。したがって、清掃具本体１０は、自らの浮力に抗して海水中に没することができる重量を有していなければならない。
【００２１】
この清掃具本体１０の筒内面は、図１に示すように、下側開放端部から上方へ向かって縮径するテーパー面１１を有している。具体的な例を挙げて説明すると、清掃具本体１０の外周径を３４０ｍｍとし、上面における内周径を２７０ｍｍとし、高さを１５０ｍｍとした場合に、下側開放端部から上方へ向かって５０ｍｍの高さに至るまでをテーパー面１１としている。このようにテーパー面１１を設けることにより、清掃具本体１０の下側開放端部が、下側に向かって尖った形状となるため、取水口温度計保護筒３０の内面に付着した海洋生物等の異物を容易に?き取ることができる。
【００２２】
＜駆動装置＞
駆動装置２０は、図１に示すように、清掃具本体１０を吊り下げる吊り下げ具２１と、吊り下げ具２１に連結されたワイヤー２２と、ワイヤー２２を巻き取る巻取り機２３と、巻取り機２３を駆動する電動機２４とを主な構成要素としている。また、必要に応じて、巻取り機２３と電動機２４との間に減速機２５を設けてもよい。さらに、必要に応じて、吊り下げ具２１と巻取り機２３との間に滑車２６，２７を配設し、この滑車２６，２７によりワイヤー２２の中継を行ってもよい。
【００２３】
＜自動制御回路＞
電動機２４には自動制御回路５０が接続されており、自動制御回路５０からの駆動指令信号に基づいて電動機２４を駆動することにより、清掃具本体１０を上下動させることができる。この自動制御回路５０は、ＣＰＵ、ＲＯＭ、ＲＡＭ等の機能を有しており、ＣＰＵ等が所定のアプリケーションプログラムに従って動作することにより、駆動装置２０の制御を行うことができるような回路である。
【００２４】
なお、自動制御回路５０は、取水口温度計保護筒清掃装置が設置された環境要因に関する情報に基づいて駆動装置２０の駆動制御を行うことが好ましい。取水口温度計保護筒清掃装置が設置された環境要因に関する情報とは、例えば季節の変化、海水温、気温、干満の差、海洋生物の発生状況等に関する情報のことである。これらの情報は、温度計や潮位計等の計器類により取得することができる。また、海洋生物の発生状況に関する情報は、オペレータの指示に基づいて入力することができる。
【００２５】
また、図２および図３に示すように、温度計保護筒３０内には、上部にフロート４１を備えた温度計４０が温度計用ワイヤー４２により吊り下げられている。このように、温度計４０にはフロート４１が取り付けられているため、潮汐の変化に伴って温度計４０を海水面から一定の高さに保持することができる。
【００２６】
＜清掃作業＞
次に、図２および図３を参照して、本実施形態に係る取水口温度計保護筒清掃装置を用いた清掃作業について説明する。図２は清掃具本体の待機状態を示す模式図であり、図３は清掃具本体により温度計保護筒内を清掃している状態を示す模式図である。
【００２７】
温度計保護筒３０内の清掃を行っていない待機状態では、図１および図２に示すように、巻取り機２３を用いてワイヤー２２を巻き取ることにより、清掃具本体１０が温度計保護筒３０の最上部に位置している。
【００２８】
そして、自動制御回路５０からの駆動指令信号に基づいて電動機２４が駆動すると、図１および図３に示すように、巻取り機２３からワイヤー２２が繰り出され、清掃具本体１０が自重により温度計保護筒３０内を下方へ向かって移動する。この際、清掃具本体１０の外周面（特に、先端が尖った下側開放端部）により、温度計保護筒３０内に付着した海藻類、カキ類、フジツボ類、イガイ類等の海洋生物を?き取ることができる。
【００２９】
その後、巻取り機２３を用いてワイヤー２２を巻き取り、清掃具本体１０を温度計保護筒３０の最上部に位置させて待機状態とする。なお、海洋生物の付着状況によっては、清掃具本体１０の上下動を複数回繰り返してもよい。
【００３０】
具体的な清掃作業では、例えば週１回の割合で清掃具本体１０の上下動を行うことにより、温度計保護筒３０の内面に付着した海洋生物等の異物が除去され、フロート４１が正常に機能して温度計４０を海水面から一定の高さに保持することができる。
【００３１】
なお、上述した清掃具本体１０の寸法は一例であり、温度計保護筒３０の内径等に応じて適宜変更して実施することができる。また、清掃作業の間隔は、温度計保護筒３０が設置された場所の環境要因に基づいて適宜変更して実施することができる。
【００３２】
なお、本発明に係る取水口温度計保護筒清掃装置は、海水を取水するための取水口温度計保護筒を清掃する場合に用いるだけではなく、水位が変化する河川や湖沼から取水するような設備において、取水口温度計保護筒に付着した藻類、貝類等の水生生物を清掃除去する場合にも利用することができる。
【産業上の利用可能性】
【００３３】
本発明に係る取水口温度計保護筒清掃装置は、主として発電所等で冷却水として用いる海水の取水口に取り付けた温度計保護筒内に付着した海洋生物を取り除く際に使用することができる。
【図面の簡単な説明】
【００３４】
【図１】本発明の実施形態に係る取水口温度計保護筒清掃装置の概略構成を示す模式図である。
【図２】本発明の実施形態に係る取水口温度計保護筒清掃装置を用いた清掃作業の様子（待機状態）を示す模式図である。
【図３】本発明の実施形態に係る取水口温度計保護筒清掃装置を用いた清掃作業の様子（清掃中）を示す模式図である。
【符号の説明】
【００３５】
１０  清掃具本体
１１  テーパー面
２０  駆動装置
２１  吊り下げ具
２２  ワイヤー
２３  巻取り機
２４  電動機
２５  減速機
２６，２７  滑車
３０  温度計保護筒
４０  温度計
４１  フロート
４２  温度計用ワイヤー
５０  自動制御回路
【図１】
2007255093.tif 000003
【図２】
2007255093.tif 000004
【図３】
2007255093.tif 000005